(57)【特許請求の範囲】
【請求項１】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、左右に並べた携帯情報端末と携帯電話双方の上面部及び底面部を挟持する上面係合部と底面係合部を背面に架設した連結部でなる保持機構と、携帯情報端末と携帯電話双方の上面部又は底面部の少なくとも一方に設けた接続部と、同接続部に対応する上面係合部又は底面係合部に設けた保持側接続部と、相互間の対応接点を接続する信号線からなることを特徴とした携帯情報端末の携帯電話保持装置。
【請求項２】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、携帯情報端末の上面部又は底面部の左端又は右端に携帯情報端末に対して左右に摺動自在に係着した摺動部と、摺動部内側に付設し携帯電話の上面部又は底面部に設けた接続部に接続する保持側接続部と、同保持側接続部の接点を携帯情報端末の信号に接続する信号線からなることを特徴とした携帯情報端末の携帯電話保持装置。
【請求項３】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、携帯情報端末の上面部又は底面部の左端又は右端に水平方向に回動自在に係着した回動部と、回動部内側に付設し携帯電話の上面部又は底面部に設けた接続部に接続する保持側接続部と、同保持側接続部の接点を携帯情報端末の信号に接続する信号線からなることを特徴とした携帯情報端末の携帯電話保持装置。
【発明の詳細な説明】
【０００１】
【発明の属する技術分野】
本発明は、携帯電話を接続し、任意の場所から電話網を利用して情報通信を行うことができる携帯情報端末の保持性及び操作性を良くする携帯情報端末の携帯電話保持装置に関する。
【０００２】
【従来の技術】
データ入力部、表示部、制御部その他の情報処理機能を備えた携帯情報端末によりデータ収集等を行い、そのデータを携帯電話により電話網に接続して、離れた場所に送信する携帯情報端末が重用されるようになってきた。この場合、携帯情報端末と携帯電話との間の信号線を相互に接続して、これらをともに携帯して使用する必要がある。図４は、携帯情報端末に携帯電話を接続して使用する場合の従来の状況の（Ａ）その１、（Ｂ）その２、を示す概念図である。携帯情報端末４１から電話網で情報通信を行うときは、携帯情報端末４１に携帯電話４２を別パーツの接続ケーブル４３で接続して、図４（Ａ）その１のように携帯情報端末４１と携帯電話４２をそれぞれ別々に両手に持って操作するか、または、図４（Ｂ）その２のように携帯情報端末４１と携帯電話４２を合わせて片手で持つこととなる。携帯情報端末４１と携帯電話４２を別々に両手に持つ場合には、それぞれを確実に保持できるが携帯情報端末等の操作が困難となる。一方、携帯情報端末４１と携帯電話４２を合わせて持つ場合は、操作は容易となるが、携帯情報端末４１と携帯電話４２の保持が不安定となる。
【０００３】
【発明が解決しようとする課題】
本発明は上記問題点に鑑みなされたもので、携帯電話を接続し使用する携帯情報端末を安定に保持して容易に操作ができるようにする手段を提供することを目的とする。
【０００４】
【課題を解決するための手段】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、左右に並べた携帯情報端末と携帯電話双方の上面部及び底面部を挟持する上面係合部と底面係合部を背面に架設した連結部でなる保持機構と、携帯情報端末と携帯電話双方の上面部又は底面部の少なくとも一方に設けた接続部と、同接続部に対応する上面係合部又は底面係合部に設けた保持側接続部と、相互間の対応接点を接続する信号線から構成する。
【０００５】
【０００６】
【０００７】
【０００８】
【０００９】
【００１０】
【００１１】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、携帯情報端末の上面部又は底面部の左端又は右端に携帯情報端末に対して左右に摺動自在に係着した摺動部と、摺動部内側に付設し携帯電話の上面部又は底面部に設けた接続部に接続する保持側接続部と、同保持側接続部の接点を携帯情報端末の信号に接続する信号線から構成する。
【００１２】
【００１３】
【００１４】
データ入力部、表示部、制御部その他の情報処理機能を備えた携帯情報端末に携帯電話を抱持させる保持機構を備え、携帯情報端末に対して携帯電話を所定の位置に保持して携帯情報端末と携帯電話間の相互通信が行なえる携帯情報端末の携帯電話保持装置において、前記保持装置は、携帯情報端末の上面部又は底面部の左端又は右端に水平方向に回動自在に係着した回動部と、回動部内側に付設し携帯電話の上面部又は底面部に設けた接続部に接続する保持側接続部と、同保持側接続部の接点を携帯情報端末の信号に接続する信号線から構成する。
【００１５】
【００１６】
【００１７】
【発明の実施の形態】
以下に本発明の実施の形態について、図を用いて説明する。図１は、本発明による携帯情報端末の携帯電話保持装置の１実施例を説明するための（Ａ）保持状態の正面図、（Ｂ）側断面図（同図ｃ−ｃ断面）、（Ｃ）保持装置取り外し状態での斜視図である。携帯情報端末１と携帯電話２を左右に並べて、保持装置３で保持するとともに、双方の信号線を接続する。保持装置３は、携帯情報端末１と携帯電話２の上面部１ａ、２ａに係合する上面係合部３ｂ、３ｃと底面部１ｂ、２ｂに係合する底面係合部３ａを連結部３ｄ、３ｅで結合した側面が略コ字状となる保持機構から構成する。また、底面係合部３ａには、携帯情報端末１と携帯電話２を接続する接続部１ｃ、２ｃに対応する部位に相互接続した接続部３ｆ等を設ける。そして、携帯情報端末１と携帯電話２の接続部１ｃ、２ｃを底面係合部３ａの接続部３ｆ等に差し込んで接続し、携帯情報端末１と携帯電話２の上面部１ａ、２ａと底面部１ｂ、２ｂを上面係合部３ｂ、３ｃと底面係合部３ａで挟持することにより、携帯情報端末１に対して携帯電話２を所定の位置に保持するとともに、携帯情報端末１と携帯電話２間の信号線を相互接続して、携帯情報端末１から携帯電話２により情報通信を行うようにする。
【００１８】
接続部３ｆ等は、例えば底面係合部３ａに設けて、その反対側の上面係合部３ｂ、３ｃには凸部３ｇ、３ｈを設ける。携帯情報端末１と携帯電話２双方の上面部１ａ、２ａの対応する部位には、凹部２ｄ等を設ける。携帯情報端末１に携帯電話２を保持するときは、上面係合部３ｂ、３ｃの凸部３ｈ等を携帯情報端末１と携帯電話２の上面部１ａ、２ａの凹部２ｄ等に係着する構造とする。これにより、携帯電話２を携帯情報端末１に安定に保持できる。または、底面係合部３ａに接続部３ｆ等を設け、他方の上面係合部３ｂ、３ｃの前方端部に突起部を設けて、携帯情報端末１に携帯電話２に保持したとき携帯情報端末１と携帯電話２双方の上面部１ａ、２ａの前方端部に係着する構造とする。この場合には、携帯情報端末１や携帯電話２に凹部を設けることなく、携帯情報端末１に携帯電話２を安定に保持することができる。
【００１９】
携帯情報端末１に携帯電話２を保持するときに、連結部３ｄ、３ｅを上面係合部３ｂ、３ｃ及び底面係合部３ａにネジ止めする構造とすることもできる。または、連結部３ｄ、３ｅは、例えば底面係合部３ａを上下方向に摺動自在に結合する構造とする。そして、底面係合部３ａを下方に摺動して携帯情報端末１と携帯電話２を挟持し、ネジ止め等により保持する。これにより保持装置３は一体構造となり取り扱いに便利となる。さらには、底面係合部３ａを上下方向に摺動自在に結合する連結部の部位には、付勢手段としてのバネ３ｉ等を設けて、底面係合部３ａを下方に摺動して携帯情報端末１と携帯電話２を挟持し、バネ３ｉ等により保持する。この場合には、構造が複雑となるが、保持装置３の脱着が容易となる。
【００２０】
保持装置３の接続部３ｆ等を備えていない上面係合部は携帯情報端末１と携帯電話２の各々に対応して２つの部分の上面係合部３ｂ、３ｃに分割し、それぞれに対応して別個の連結部３ｄ、３ｅを設ける。これにより、携帯情報端末１と携帯電話２の天地の高さが異なる場合でも対応できるようになる。
【００２１】
図２は、本発明による携帯情報端末の携帯電話保持装置の別の実施例を説明するための（Ａ）携帯情報端末単体、（Ｂ）携帯電話保持準備状態、（Ｃ）携帯電話保持状態での斜視図である。携帯情報端末２１の例えば底面部の左端に、携帯情報端末２１に対して左右に摺動自在に係着した摺動部２３を設ける。摺動部２３の内側には、携帯電話２２の底面部に設けた接続部に接続する接続部を付設する。また、摺動部２３に設けた接続部の各接点は、信号線で携帯情報端末２１の対応する信号に接続する。携帯情報端末２１の摺動部２３を横方向に摺動させて、携帯電話２２の底面部に設けた接続部を摺動部２３に設けた接続部に差し込むことで、携帯電話２２を携帯情報端末２１に保持する。摺動部２３の携帯情報端末２１の側面及び、又は背面に対応する部位には、携帯電話２２を携帯情報端末２１に保持したとき、携帯電話２２の側面又は背面に当接する平板２３ａ、２３ｂを設ける。これにより、携帯電話が大きい場合でも安定に保持できる。また、摺動部２３の内部には、その摺動部を携帯情報端末側に付勢する付勢手段としてのバネ等を設ける。これにより、携帯電話を保持しないときの摺動部２３が、自動的に携帯情報端末２１の下部に収納できる。
【００２２】
図３は、本発明による携帯情報端末の携帯電話保持装置の他の実施例を説明するための（Ａ）携帯情報端末単体、（Ｂ）携帯電話保持準備状態その１、（Ｃ）携帯電話保持準備状態その２、（Ｄ）携帯電話保持状態その１、（Ｅ）携帯電話保持状態その２の斜視図である。携帯情報端末３１の例えば底面部３１ｂの左端に、水平方向に回動自在に係着した回動部３３を設ける。回動部３３の内側には、携帯電話３２の底面部に設けた接続部に接続する接続部を設ける。回動部３３の内部に設けた接続部の各接点は、信号線で携帯情報端末３１の対応する信号に接続する。携帯電話３２の回動部３３を携帯端末の左外側に回動させて、携帯電話３２の底面部に設けた接続部を回動部３３の内側に設けた接続部に差し込むことで、携帯電話３２を携帯情報端末３１に保持する。
【００２３】
回動部３３は、携帯情報端末３１の底面部３１ｂ等に外付することができる。または、携帯情報端末３１の底面部３１ｂに切欠部３１ｃを設けて、携帯電話３２を保持しないときは、回動部３３を携帯情報端末３１の底面部３１ｂに設けた切欠部３１ｃに収納できるようにしても良い。この構造では、回動部３３を携帯情報端末３１の底面部３１ｂに回動自在に係着するとともに携帯情報端末の上下方向に摺動自在に係着する支軸３３ａを設ける。携帯電話３２を携帯情報端末３１に保持するときは、切欠部に収納した回動部を一旦下方に引き出して（図３（Ｂ）参照）回動させ（同図（Ｃ）参照）携帯電話を保持する（同図（Ｄ）参照）構造とする。これにより、携帯情報端末３１が単体のとき、回動部３３を切欠部３１ｃに略隙間なく収納できる形状とすることができる。なおこの場合、支軸３３ａの周辺に回動部３３を携帯情報端末３１側に付勢するバネ等の付勢手段を設けて、携帯情報端末３１が単体のときまたは、携帯電話３２を保持したときに回動部３３を携帯情報端末３１側に密着させて保持する構造とすることもできる。
【００２４】
【発明の効果】
データ入力部、表示部、制御部その他の情報処理機能を備えた携帯情報端末と、無線通信により電話網に接続して情報通信を行う携帯電話との間の信号線を相互に接続するとともにその携帯情報端末に携帯電話を抱持させる保持機構を備え、携帯情報端末に対して携帯電話を所定の位置に保持して携帯情報端末と携帯電話間の相互通信ができるようにすることにより、携帯電話を接続し使用する携帯情報端末を安定に保持して容易に操作ができるようになる。
【図面の簡単な説明】
【図１】本発明による携帯情報端末の携帯電話保持装置の１実施例を説明するための（Ａ）保持状態の正面図、（Ｂ）側断面図（同図ｃ−ｃ断面）、（Ｃ）保持装置取り外し状態での斜視図である。
【図２】本発明による携帯情報端末の携帯電話保持装置の別の実施例を説明するための（Ａ）携帯情報端末単体、（Ｂ）携帯電話保持準備状態、（Ｃ）携帯電話保持状態での斜視図である。
【図３】本発明による携帯情報端末の携帯電話保持装置の他の実施例を説明するための（Ａ）携帯情報端末単体、（Ｂ）携帯電話保持準備状態その１、（Ｃ）携帯電話保持準備状態その２、（Ｄ）携帯電話保持状態その１、（Ｅ）携帯電話保持状態その２の斜視図である。
【図４】従来の、携帯情報端末に携帯電話を接続して使用する場合の従来の状況の（Ａ）その１、（Ｂ）その２、を示す概念図である。
【符号の説明】
１  携帯情報端末
２  携帯電話
２ｄ  凹部
３  保持装置
３ａ  底面係合部
３ｂ、３ｃ  上面係合部
３ｄ、３ｅ  連結部
３ｆ  接続部
３ｇ  凸部
３ｈ  凸部
３ｉ  バネ
２１  携帯情報端末
２２  携帯電話
２３  摺動部
２３ａ、２３ｂ  平板
３１  携帯情報端末
３１ｂ  底面部
３１ｃ  切欠部
３２  携帯電話
３３  回動部
３３ａ  支軸
４１  携帯情報端末
４２  携帯電話
４３  接続ケーブル
【図１】
0004200566.tif 000002
【図２】
0004200566.tif 000003
【図３】
0004200566.tif 000004
【図４】
0004200566.tif 000005